(57)【要約】【課題】ごみ袋の着脱が容易で、簡単な操作で安全に折り畳み、取り出しができ、持ち運びが容易で、蓋の開閉も簡単で、外で使用しても雨水が入らないごみ袋保持具を提供する。【解決手段】水平に伸びたベースフレームの中央に、上下方向に伸びる中空の支柱を接合し、支柱の上側のごみ袋を保持する枠フレームとロックプレートを、そのすぐ下にロックレバーをそれぞれ回転自在に取付け、ロックレバーがロックプレートの切り込みにはまり、枠フレームを保持するようにし、スタンドとリンクプレートを、支柱の下側に回転自在に取り付け、上側のロックプレートと下側のリンクプレートは、互いに反転するよう連結ロッドで結合してある。又ベースフレームの両端にはストッパーとキャスターが互いに働くように取り付け、枠フレームには、小さな上蓋を取り付けた蓋が、一方をフックで、他方をテーパーフック部で取り付けてある。【選択図】図１
2013237527.tif 000002
【特許請求の範囲】
【請求項１】
枠状のフレームの内側にごみ袋を入れ、フレームの外周に袋を折り返して取り付けるごみ袋保持具において、地面に接して横方向に伸びる棒状のベースフレームの中央に、上下方向に伸びる中空の支柱を接合し、枠状のフレームと一体にしたロック部材、及びこれを保持するロックレバーを支柱の上端にそれぞれ回転自在に取り付け、支柱の下側に、前後方向に突き出し先端を接地してゴミ袋保持具を支えるスタンドと一体にしたリンクプレートを回転自在に取り付け、リンクプレートとロックプレートを連結ロッドで連結するようにして、ロックレバーを解除し枠状のフレームを折り畳んだとき、これに連動してスタンドが自動的に折り畳みロックするように、又ロックレバーを解除して枠状のフレームを取出した時、これに連動してスタンドが自動的に出てロックするようにしたことを特徴とする、ごみ袋保持具。
【請求項２】
ロックプレート、リンクプレート、連結ロッドなどの大きな加重が加わり、手などをはさむと危険な部位を、中空の支柱内に収めるようにしたことを特徴とする請求項1のごみ袋保持具。
【請求項３】
横方向に伸びるベース両端の下側に、略Ｌ字状のストッパーとキャスターを取り付け、ごみ袋保持枠とスタンドが出されたときに、ストッパーの先端がが接地し、キャスターが浮き上がり、スタンドと共にごみ袋保持具を固定させるように、又ごみ袋保持具本体を後方に傾けた時に、キャスターが接地し、ストッパーとスタンドが浮き上がるようにしてごみ袋保持具本体を移動できるようにしたことを特徴とした、請求項２のごみ袋保持具。
【請求項４】
ごみ袋を取り付ける枠フレームを覆い、枠フレームの一方にフックになった部位で引っ掛け、他方に先端がテーパーになったフック部位ではめ込んで取り付けるようにした蓋を持つ、請求項２及び請求項３のごみ袋保持具。
【請求項５】
ごみ袋を取り付ける枠フレームを覆う蓋に小さな穴を設け、その穴を覆う小さな上蓋をベースの蓋に上下方向を回転自在にして取り付けるようにして、小さなごみは簡単に上蓋を開けて入れるようにしたことを特徴とした請求項４ゴミ袋保持具。
【請求項６】
ごみ袋を取り付ける枠フレームの角になった部位に、滑り止めを取り付け、ゴミ袋に大きな荷重掛かった時に、袋がずれ落ちないようにしたことを特徴とする請求項１のごみ袋保持具。
【発明の詳細な説明】
【技術分野】
【０００１】
本発明は、ごみ袋を保持する保持具に関するものである。
【背景技術】
【０００２】
ペットボトル、ビニールの包装紙が増える中で、ごみ袋を保持する保持具は、
ごみ箱などは異なり洗う必要がなくごみの取り出しも袋ごと交換するだけで又、袋の交換も容易なので、最近は多く見かける。この中で折り畳みのごみ袋保持具は不要な時には、折り畳める為便利で、特開２０００―１２８３０４、特開２００１−１６３４０２などで取り上げられているが、どちらも折り畳み、取り出し時の操作が面倒で、手の触れる所にロック部があり危険でもあった。
又蓋を取り付けるようにしてない為、外で使用する場合雨水が袋内にたまることがあった。
【０００３】
又、特開平９−１３２３０３などの別の構造も取り上げられているが、安全性は悪くはないが、そのままでは袋を引っ張って取り付できないため、磁石などで取り付けるなど不便であるし、ゴミ袋が満杯になった時の袋の交換が、支柱が邪魔になり容易ではなかった。また雨水が袋に溜まらないようシート状の蓋を取り付けるようにしているが、シート状の蓋を開けてごみを入れるのが面倒だし、雨水がシート状のくぼみに溜まり開けたときに、袋内に水が落ちることもあった。
【先行技術文献】
【特許文献】
【０００４】
特開２０００−１２８３０４号公報
特開２００１−１６３４０２号公報
特開平９−１３２３０３号公報
【発明の概要】
【発明が解決しようとする課題】
【０００５】
解決しようとする課題は、ごみ袋の着脱が容易で、しかも簡単な操作で安全に折り畳み、取り出しができ、持ち運びが容易で、蓋の開け閉めも簡単で、雨の日でも外で使用でき、雨水も中に入らないようなごみ袋保持具を提供することである。
【課題を解決するための手段】
【０００６】
本発明のごみ袋保持具は、地面に接して横方向に伸びた棒状のベースフレームの中央に、上下方向に伸びる中空の支柱を接合し、枠フレームと枠シャフトと２ヶ所の切り込みとガイド部を持つロックプレートを一体になるよう接合し、支柱上端に回転自在に取付け、そのすぐ下側の支柱にロックスプリングのバネ力で回転力を持つロックレバーを回転自在に取り付け、ロックプレートの２箇所の切り込みにはまり、枠フレームの上下方向を支持するようにしている。支柱の下側には、スタンドとスタンドシャフトとリンクプレート一体で接合され、支柱に回転自在に取り付けてあり、上側のロックプレートと下側のリンクプレートを、互いの回転方向が反対になるよう連結ロッドとリンクシャフトで回転自在に連結してある。また下側のベースフレームの両端には、略Ｌ字状のストッパーとキャスターが取り付けられ、枠フレームとスタンドが取り出された時に、ストッパーの先端が接地して、キャスターが浮き上がるように設定している。また枠フレームには、これを覆い、一方をフック部で他方を先端がテーパーになったフック部ではめ込むようにした蓋が取り付けられ、蓋には小さな穴があり、小さな上蓋が上下方向に取り付けられている。
【発明の効果】
【０００７】
このように支柱が１本だけなので、ごみ袋の交換も簡単だし、操作も、ロックレバーを引き上げて枠フレームを折り畳むと、自動的にスタンドも折り畳んでロックするので極めて簡単だし、ごみ袋保持具本体を後ろ方向に起こすとキャスターが作動して容易に移動できる。又ロックレバーを引き上げて枠フレームを取り出すと、自動的にスタンドが出てロックし、ストッパーが接地してキャスターが浮き上がるので、ごみ袋保持具もしっかりと固定される。又蓋が付いているので、雨水も入らず、ごみを入れる時にも小さな上蓋をあけるだけで簡単にごみが入れられる。また荷重が掛かるロック部位は中空の支柱内にあるので、手も触れず安全である。
【図面の簡単な説明】
【０００８】
【図１】本発明のゴミ袋保持具と蓋の斜視図である。
【図２】蓋を取り付けて上蓋を開け、ごみ袋を取り付けた本発明の側面図である。
【図３】蓋とゴミ袋をつけてない時の本発明の平面図である。
【図４】蓋をつけていない時の本発明の正面図である。
【図５】蓋をつけていない時の本発明の中央断面を示した側面図である。
【図６】本発明の蓋の中央断面を示した側面図である。
【図７】プロテクターをはずし、A矢視から見た本発明ロック部の平面図である。
【図８】蓋をつけてない時に折り畳んだ時の本発明の斜視図である。
【図９】蓋をつけて折り畳んで運搬できる状態の本発明の側面図である。
【図１０】蓋とごみ袋をつけていない時の本発明の下面図である。
【図１１】蓋とごみ袋をつけていない時の本発明の背面図である。
【図１２】ゴミ袋支持枠の角部にすべり止めを取り付けた本発明の平面図である。
【発明を実施するための形態】
【０００９】
ごみ袋の着脱が容易で、折り畳み、取り出しの操作が簡単で安全に出来、持ち運びが容易で、蓋の開け閉めも簡単で、雨の日でも外で使用でき、雨水も中に入らないようなごみ袋支持具が、最小の部品点数とシンプルで美しい状態で実現できた。
【実施例１】
【００１０】
図5は本発明の実施例1の中央断面を側面から見た図で、水平方向に伸びるベースフレーム3の中央に、上下方向に伸びる中空の支柱2が接合されている。この支柱2の上端には枠フレーム1と枠シャフト８とロックプートガイド部7ｃ、切込みがあるロックプレート水平保持部7ａ、ロックプレート収納保持部７ｂを持ったロックプレート７が一体になるよう接合され、支柱2の上下方向に回転自在に取り付けてある。またロックスプリング13の引っ張り力で右方向に回転力を持ったロックレバー5が、支柱2の上下方向に回転自在にレバーヒンジボルト12で取り付けられ、２ヶ所ロックプレート7の切り込みにはまり込むようにして、枠フレーム1を、水平方向および折り畳み位置で保持するようにしている。又支柱2の下側には、スタンド4とスタンドシャフト9とリンクプレート10が一体で接合され、支柱2の上下方向に回転自在に取り付けられ、このリンクプレート10とロックプレート7は回転方向が互いに反対になるよう連結ロッド6によって連結されている。又ベースフレーム3の両端の下側には、略Ｌ字状のストッパー15とキャスター16がスタンド4を取り出した時にストッパー15の先端が接地して、キャスター16が地面より浮き上がるよう取り付けている。図7はプロテクター14をはずして矢視Ａから見た図で、ロックレバー5は両端を支柱２にレバーヒンジボルト12で回転自在に取り付けられている。又枠フレーム1と支持枠シャフト8とロックプレート7は一体になるように接合していてロックプレートの間に連結ロッド6がリンクシャフト11によって回転自在に取り付けている。
【００１１】
図6は枠フレーム1とゴミ袋23の上に取り付ける蓋の中央断面図で、蓋ベース19の一方を枠フレーム1にはめ込めるよう蓋ベースフック部19ｄ、他方を蓋ベーステーパーフック部19ｅがあり、枠フレームを抱え込むように保持されている。又蓋ベースの中央はスタンド4の収納時の軌跡でぶつからないように盛り上げており、ここにゴミを入れる穴を設け、その穴を塞ぐよう上蓋20を蓋シャフト21で蓋ベース19に上下方向に回転自在に取り付けている。
図8は枠フレーム1とスタンド4を折り畳んだ斜視図で、この状態でロックされているので枠フレーム1とスタンド4は全く動かない。図12は枠フレーム1の角部に滑り止め24のを取り付けて、ゴミ袋に大きな加重が掛かった場合のゴミ袋23のずれを防止するようにしている。
【産業上の利用可能性】
【００１２】
本発明は、ゴミ袋の着脱が簡単で、本体の折り畳み、取り出しの操作も安全でワンタッチで出来、運搬も容易で外で使用する場合にも雨が中の袋内に入らないので、安心して使用できる為、学校、グループ、などのイベント時、移動販売業者などの仮設のゴミ置き場に最適であるが、家庭においても庭、ベランダなどに置いて使用できるため用途は幅広い。
【符号の説明】
【００１３】
1  枠フレーム
2  支柱
3  ベースフレーム
4  スタンド
5  ロックレバー
6  連結ロッド
7  ロックプレート
7ａロックプレート水平保持部
7ｂロックプレート収納保持部
7ｃロックプレートガイド部
8枠シャフト
9スタンドシャフト
10リンクプレート
11リンクシャフト
12レバーヒンジボルト
13ロックスプリング
14プロテクター
15ストッパー
16キャスター
18ビス
19蓋ベース
19ｄ蓋ベースフック部
19ｅ蓋ベーステーパーフック部
20上蓋
21蓋シャフト
22つまみ
23ごみ袋
24滑り止め
【図１】
2013237527.tif 000003
【図２】
2013237527.tif 000004
【図３】
2013237527.tif 000005
【図４】
2013237527.tif 000006
【図５】
2013237527.tif 000007
【図６】
2013237527.tif 000008
【図７】
2013237527.tif 000009
【図８】
2013237527.tif 000010
【図９】
2013237527.tif 000011
【図１０】
2013237527.tif 000012
【図１１】
2013237527.tif 000013
【図１２】
2013237527.tif 000014